(57)【要約】【課題】アカウントユーザに電子メールサービスを積極的に利用してもらえるカラオケシステムを提供する。【解決手段】本発明のカラオケシステムは、ホストサーバ１００と、カラオケ楽曲の再生を行うコマンダ３００と、所定の入力手段及び表示手段とを有し、ホストサーバ１００と通信網を介して通信を行うと共にコマンダ３００の制御を行い、ログインすることによってホストサーバ１００に設定される各ユーザのアカウントにアクセスするリモコン端末２００と、各アカウント毎の情報を設定する情報設定部と、からなり、リモコン端末２００によってホストサーバ１００を介した電子メールの送受信を行うカラオケシステムにおいて、前記情報設定部に設定された情報に基づいて、電子メールの宛先を検索する検索手段を有することを特徴とする。【選択図】図１
2010060626.tif 000002
【特許請求の範囲】
【請求項１】
ホストサーバと、
所定の入力手段及び表示手段とを有し、前記ホストサーバと通信網を介して通信を行うと共に、ログインすることによって前記ホストサーバに設定される各ユーザのアカウントにアクセスするリモコン端末と、
各アカウント毎の情報を設定する情報設定部と、からなり、
前記リモコン端末によって前記ホストサーバを介した電子メールの送受信を行うカラオケシステムにおいて、
前記情報設定部に設定された情報に基づいて、電子メールの宛先を検索する検索手段を有することを特徴とするカラオケシステム。
【請求項２】
ホストサーバと、
カラオケ楽曲の再生を行う演奏装置と、
所定の入力手段及び表示手段とを有し、前記ホストサーバと通信網を介して通信を行うと共に前記演奏装置の制御を行い、ログインすることによって前記ホストサーバに設定される各ユーザのアカウントにアクセスするリモコン端末と、
各アカウント毎の情報を設定する情報設定部と、からなり、
前記リモコン端末によって前記ホストサーバを介した電子メールの送受信を行うカラオケシステムにおいて、
前記情報設定部に設定された情報に基づいて、電子メールの宛先を検索する検索手段を有することを特徴とするカラオケシステム。
【請求項３】
各アカウントには、自アカウントを前記検索手段による検索の対象とするか否かを登録する登録手段を有することを特徴とする請求項１又は請求項２に記載のカラオケシステム。
【請求項４】
前記情報設定部に設定された情報は、歌手名であることを特徴とする請求項１乃至請求項３のいずれかに記載のカラオケシステム。
【請求項５】
前記情報設定部に設定された情報は、履歴情報であることを特徴とする請求項１乃至請求項４のいずれかに記載のカラオケシステム。
【請求項６】
電子メールの送受信を行うためにログインする際の認証はパスワードにより行うことを特徴とする請求項１乃至請求項５のいずれかに記載のカラオケシステム。
【請求項７】
電子メールの送受信を行うためにログインする際の認証は指紋認証により行うことを特徴とする請求項１乃至請求項６のいずれかに記載のカラオケシステム。
【発明の詳細な説明】
【技術分野】
【０００１】
本発明は、インターネットなどの通信網に接続されて用いられると共に、ユーザがログインすることによって提供されるアカウントサービスを備えるカラオケシステムに関する。
【背景技術】
【０００２】
近年、カラオケシステムがインターネットなどの通信網に接続され用いられるようになったことに伴い、ユーザが自ら登録しておいたアカウントに、カラオケシステムで用いられるリモコン端末などからログインして、これまで歌った曲情報の履歴を参照したり、或いは、あらかじめ登録しておいた十八番の曲を素早く選曲したり、といったサービスが提供されるようになってきた。このようなカラオケシステムにおけるアカウント制導入に伴い、提供可能となったサービスの１つとして、電子メールサービスを挙げることができる。
【０００３】
例えば、特許文献１（特開２００７−１２２６２０号公報）には、会員情報データベースを管理する会員情報サーバー装置などを設けておき、宛先になっている会員がログインした際に、会員情報サーバーからこのメッセージが送信され、サブコンピュータの画面に表示されようにして、地理的に離れた店舗の利用者同士でも、通信システムのネットワークを利用して電子メールのやりとりを可能としたカラオケシステムが開示されている。
【特許文献１】特開２００７−１２２６２０号公報
【発明の開示】
【発明が解決しようとする課題】
【０００４】
ところで、ビジネスにおける連絡などにも用い得るパーソナルコンピュータや携帯電話などによる電子メールサービスとは異なり、カラオケシステムが提供する電子メールサービスは遊興的な側面が強い。このため、あえてユーザはカラオケシステムによる電子メールを利用する必要は必ずしもない、ということがいえる。そのような状況の中でも、カラオケシステムが提供する電子メールサービスを、ユーザに積極的に利用してもらうための工夫が必要であるが、これまでそのような工夫については何ら考慮されていない、という問題があった。すなわち、カラオケシステムとしては、カラオケを行う者同士がメール交換をし易いような環境を整備することが望ましいわけであるが、特許文献１に記載されているような従来のカラオケシステムが提供する電子メールサービスでは、このようなメール交換しやすい環境を提供することについては全く配慮されていない、という問題があった。
【課題を解決するための手段】
【０００５】
本発明は上記のような課題を解決するものであって、本発明の請求項１に係る発明は、ホストサーバと、所定の入力手段及び表示手段とを有し、前記ホストサーバと通信網を介して通信を行うと共に、ログインすることによって前記ホストサーバに設定される各ユーザのアカウントにアクセスするリモコン端末と、各アカウント毎の情報を設定する情報設定部と、からなり、前記リモコン端末によって前記ホストサーバを介した電子メールの送受信を行うカラオケシステムにおいて、前記情報設定部に設定された情報に基づいて、電子メールの宛先を検索する検索手段を有することを特徴とする。
【０００６】
また、本発明の請求項２に係る発明は、ホストサーバと、カラオケ楽曲の再生を行う演奏装置と、所定の入力手段及び表示手段とを有し、前記ホストサーバと通信網を介して通信を行うと共に前記演奏装置の制御を行い、ログインすることによって前記ホストサーバ
に設定される各ユーザのアカウントにアクセスするリモコン端末と、各アカウント毎の情報を設定する情報設定部と、からなり、前記リモコン端末によって前記ホストサーバを介した電子メールの送受信を行うカラオケシステムにおいて、前記情報設定部に設定された情報に基づいて、電子メールの宛先を検索する検索手段を有することを特徴とする。
【０００７】
また、本発明の請求項３に係る発明は、請求項１又は請求項２に記載のカラオケシステムにおいて、各アカウントには、自アカウントを前記検索手段による検索の対象とするか否かを登録する登録手段を有することを特徴とする。
【０００８】
また、本発明の請求項４に係る発明は、請求項１乃至請求項３のいずれかに記載のカラオケシステムにおいて、前記情報設定部に設定された情報は、歌手名であることを特徴とする。
【０００９】
また、本発明の請求項５に係る発明は、請求項１乃至請求項４のいずれかに記載のカラオケシステムにおいて、前記情報設定部に設定された情報は、履歴情報であることを特徴とする。
【００１０】
また、本発明の請求項６に係る発明は、請求項１乃至請求項５のいずれかに記載のカラオケシステムにおいて、電子メールの送受信を行うためにログインする際の認証はパスワードにより行うことを特徴とする。
【００１１】
また、本発明の請求項７に係る発明は、請求項１乃至請求項６のいずれかに記載のカラオケシステムにおいて、電子メールの送受信を行うためにログインする際の認証は指紋認証により行うことを特徴とする。
【発明の効果】
【００１２】
本発明のカラオケシステムによれば、各アカウント毎の情報が設定された情報設定部を検索対象として、同好者などの電子メールの宛先を検索する検索手段が設けられる構成であるので、カラオケを行う者同士がメール交換をし易いような環境を整備することが可能となり、各アカウントユーザに電子メールサービスを積極的に利用してもらうことができる。
【００１３】
また、本発明のカラオケシステムによれば、自アカウントを前記検索手段による検索の対象とするか否かを登録する登録手段による設定を行うことにより、前記検索手段の検索対象から外れることも可能であるために、不特定者からの電子メールを受信したくないアカウントユーザであれば、そのような電子メールを受信しないようにすることが可能となる。
【発明を実施するための最良の形態】
【００１４】
以下、本発明の実施の形態を図面を参照しつつ説明する。図１は本発明の実施の形態に係るカラオケシステムの全体構成を示す図であり、図２は本発明の実施の形態に係るカラオケシステムの運用形態イメージを示す図である。
【００１５】
図１及び図２において、５０は通信網、６０はルータ、７０は無線ＬＡＮアクセスポイント、１００はホストサーバ、２００、２００'、２００''、２００'''、２００''''はリモコン端末、３００、３００'、３００''、３００'''はコマンダ、４００はアンプ、４０１はスピーカー、４０２はマイクロフォン、４５０はディスプレイをそれぞれ示している。
【００１６】
本発明のカラオケシステムは、インターネットなどの通信網５０を利用したものである
。このようなカラオケシステムは、ホストサーバ１００と、カラオケ店等の各カラオケルームに設置されるコマンダ３００及びコマンダ３００に対応付けして設けられているリモコン端末２００とが、インターネットなどの通信網５０を介して通信可能に構成されることによって形成されている。なお、このコマンダは特許請求の範囲においては、「演奏装置」として表現されているものである。
【００１７】
コマンダ３００、３００'、３００''、３００'''は、カラオケ店舗などの各カラオケルーム（空間１、空間２、空間３、空間４・・・）のそれぞれに１台ずつ設置されることが想定されるものである。また、コマンダ３００、３００'、３００''、３００'''に対応する形で、各カラオケルームには、リモコン端末が設置されている。通常、コマンダ３００、３００'、３００''には、それぞれ１台ずつのリモコン端末２００、２００'、２００''が対応付けされているが、空間４におけるコマンダ３００'''のように、リモコン端末２
００'''、２００''''が複数台対応付けされるように設定することも可能である。
【００１８】
ホストサーバ１００側のルータ（不図示）とカラオケ店舗側のルータ６０との間でインターネットネットワーク上に形成されるＶＰＮ（ｖｉｒｔｕａｌ  ｐｒｉｖａｔｅ  ｎｅｔｗｏｒｋ）を介して、カラオケ店舗側のＬＡＮに接続されている。ルータ６０には、図示するように、コマンダ３００、３００'、３００''、３００'''が接続される。また、ルータ６０には、無線ＬＡＮアクセスポイント７０が接続されており、この無線ＬＡＮアクセスポイント７０とリモコン端末２００、２００'、２００''、２００'''、２００''''が無線ＬＡＮによって通信するようになっている。つまり、ホストサーバ１００と、コマンダ３００及びリモコン端末２００との間の通信は、通信網５０上のＶＰＮ及びカラオケ店舗の有線ＬＡＮ、無線ＬＡＮを介して行われることとなる。なお、それぞれのリモコン端末２００にはそれぞれ固有のＩＤが付されており、ホストサーバ１００に対してアクセスを行うときなどに自らのＩＤをサーバ側に報知する。
【００１９】
コマンダ３００は、リモコン端末２００からの要求に応じて、有線ＬＡＮ、無線ＬＡＮを介して制御され得るようになっている。例えば、ユーザは、リモコン端末２００から歌いたい曲を要求すると、当該要求はＬＡＮ経由でコマンダ３００に送られ、コマンダ３００がカラオケ楽曲をスタートさせるようになっている。
【００２０】
カラオケシステムのホストサーバ１００は、カラオケ店舗などに設置されているコマンダ３００に対して楽曲データ、映像データやユーザへ提供するためのコンテンツデータ等を配信する。すなわち、ホストサーバ１００は、基本的なカラオケサービス用のホストサーバとして機能する。
【００２１】
また、ホストサーバ１００は、リモコン端末２００を介して、ＩＤ、パスワード、ＩＤに対応したニックネームなどを登録することによって、自らのアカウントを取得したユーザに対する種々のサービスを提供する機能を有している。ここで、アカウントとは、本発明のカラオケシステムが提供するサービスを利用するために付与された、特定対象者に限定された権利のことである。
【００２２】
このアカウントを取得したユーザ（以下、「アカウントユーザ」という）に対して、ホストサーバ１００は、アカウントユーザがこれまで歌ってきた曲の履歴を保持しておいたり、アカウントユーザが得意とする曲のリストを保持しておいたり、アカウントユーザがこれから歌いたいとして登録した曲のリストを保持しておいたり、アカウントユーザ間などの電子メールの送受信を行ったり、といったサービスを提供する。
【００２３】
本発明のカラオケシステムにおけるアカウントは、限定的な利用権とするために、特定の対象者を識別する必要があるが、本システムでは、パスワード又は指紋認証による方法
が採用されている。しかしながら、アカウントの限定利用のための識別方法としては、このような方法によらず、他のバイオメトリック的手法を用いても構わない。
【００２４】
次に、本発明のカラオケシステムにおけるコマンダ３００についてより詳しく説明する。図３は本発明の実施の形態に係るカラオケシステムで用いられるコマンダ及びその周辺のブロック構成を示す図である。図３において、３０１はバス、３０２は中央演算部、３０３は記憶部、３０４は第４通信部、３０５は第３通信部、３０６は入力部、３０７は表示制御部、３１０は音源部、３３０はミキサ部、４００はアンプ、４０１はスピーカー、４０２はマイクロフォン、４５０はディスプレイをそれぞれ示している。
【００２５】
カラオケルームなどの空間に配されるコマンダ３００には、ＣＲＴやＴＦＴ等の映像表示装置であるディスプレイ４５０、音声増幅装置であるアンプ４００が接続されており、コマンダ３００からの制御出力によりディスプレイ４５０に歌詞映像と背景画像を表示し、歌詞映像の表示と同期させてカラオケ楽曲の再生信号をアンプ４００へ送出し、スピーカー４０１から演奏音が得られるようにしている。そして、前記アンプ４００には、ミキサ部３３０を介してマイクロフォン４０２が接続されており、周知のようにカラオケシステムのユーザは、歌詞映像に合わせてこのマイクロフォン４０２から自身の発声を入力し、歌唱することになる。
【００２６】
図３は、このように構成されたコマンダ３００とその周辺の具体的構成を示すブロック図であり、バス３０１に接続された中央演算部３０２（ＣＰＵ）がコマンダシステム全体の制御を司る。
【００２７】
記憶部３０３には、ＲＯＭ、ＲＡＭ、ＨＤＤが用いられ、ＲＯＭには制御プログラムなどが格納され、ＲＡＭには制御処理の内容などの一時記憶が可能となるようにしている。ＨＤＤには、ホストサーバ１００から受信した楽曲データ、映像データやカラオケ演奏以外の機能を実行させるデータであるデータを一時記憶させる。
【００２８】
第４通信部３０４は、例えば赤外線通信が用いられ、リモコン端末２００から送られてくる赤外線コード信号を受信し、コマンドデータに復元してバス３０１へ転送する。リモコン端末２００からコマンダ３００に対する指令信号は、カラオケ店舗内のＬＡＮ経由にても送信することができるが、「演奏スタート」や「唄い直し」などの比較的単純な指令信号は、この赤外線通信による通信部を利用することができる。
【００２９】
第３通信部３０５は、周知の規格の有線ＬＡＮが用いられ、ホストサーバ１００からコマンダ３００に対する制御命令や、楽曲データ、映像データやファームウエアデータなどをホストサーバ１００からダウンロードするために利用される。また、第３通信部３０５は、コマンダ３００を、ＬＡＮを介して他のコマンダやその他の機器に接続するための接続器でもあり、コマンダ３００はそのようにＬＡＮ２４を介して接続されることで、他のコマンダや他の機器との間で情報の送受信が可能とされる。
【００３０】
入力部３０６は、コマンダ３００のフロントパネルに設けられた各種スイッチ機能であり、予約選曲、キーコントロール、歌唱プログラムなどカラオケ装置特有の機能をマニュアル設定が可能となるようにしている。表示制御部３０７は、カラオケ楽曲に伴う映像や、その他、コンテンツデータ、広告データなどの映像データをディスプレイ４５０により表示するための表示制御を行う。
【００３１】
音源部３１０は、ＭＩＤＩ（Ｍｕｓｉｃａｌ  Ｉｎｓｔｒｕｍｅｎｔ  Ｄｉｇｉｔａｌ
Ｉｎｔｅｒｆａｃｅ）規格に基づく楽曲データから演奏可能な楽音信号を形成する。
【００３２】
ミキサ部３３０は、音源部３１０が発声した複数の楽音信号とマイクロフォン４０２から入力される歌唱者の歌唱音声信号を適当なバランスでミキシングする。このミキサ部３３０でミキシングされた信号は、アンプ４００に出力される。
【００３３】
次に、本発明のカラオケシステムにおけるリモコン端末２００についてより詳しく説明する。図４は本発明の実施の形態に係るカラオケシステムで用いられるリモコン端末のブロック構成を示す図である。図４において、２０１はバス、２０２は中央演算部、２０３は記憶部、２０４はタッチパネル部、２０５は表示部、２０６は第１通信部、２０７は第２通信部、２０８は生体認証部をそれぞれ示している。
【００３４】
リモコン端末２００は、バス２０１に接続された中央演算部２０２（ＣＰＵ）がリモコン端末全体の制御を司る。
【００３５】
記憶部２０３には、ＲＯＭ、ＲＡＭ、不揮発性メモリが用いられ、ＲＯＭには制御プログラムなどが格納され、ＲＡＭには制御処理の内容などの一時記憶が可能となるようにしている。
【００３６】
タッチパネル部２０４は、ユーザの指や図示しない備え付けのペン等による入力を行うものである。タッチパネル部２０４による入力を可能とするために、表示部２０５にはタッチパネル部２０４と連動した表示画像が表示されるようにプログラムされる。なお、本実施形態では、入力インターフェイス装置としてこのようなタッチパネル部２０４を用いる例について説明しているが、本発明はこれに限定されるものではない。
【００３７】
第１通信部２０６は、無線ＬＡＮアクセスポイント７０との間で無線ＬＡＮ規格（例えば、ＩＥＥＥ８０２．１１ａ／ｂ／ｇ規格など）に従った無線通信を行うための無線ＬＡＮ信部である。
【００３８】
第２通信部２０７は、例えば赤外線通信が用いられ、コマンダ３００における第４通信部３０４との通信を行うものであり、所定の赤外線コード信号をコマンダ３００に送出することが可能とされている。
【００３９】
生体認証部２０８は、ユーザの指紋を読み取り、生体識別コードに変換するものであり、これによりアカウントを有するユーザを識別するものである。
【００４０】
ところで、ユーザによってはアカウントへのログインのための認証方法として、指紋認証を好まないというような場合がある。そこで、本実施形態におけるカラオケシステムでは、生体認証部２０８の指紋による認証か、パスワードを使っての認証かをユーザが選択できるようになっている。
【００４１】
次に、本実施形態に係るカラオケシステムが提供するアカウントユーザ間の電子メールの送受信サービスについてより詳しく説明する。図５は本発明の実施の形態に係るカラオケシステムで提供される電子メールサービスの概念を示す図である。
【００４２】
なお、図５においては、カラオケ店舗Ｎ1乃至Ｎ3が通信網５０を介してホストサーバ１００側に接続される形態でシステムが運用されている場合を示している。また、カラオケ店舗Ｎ1乃至Ｎ3には、リモコン端末がそれぞれ４台、２台、３台設置されていることを想定している。このような店舗数やリモコン端末数は例示的なものであり、本発明がこれに限定されるわけではない。なお、リモコン端末に付されている、例えばＭ2-1などは、そ
のリモコン端末に固有に付されるＩＤであるものとする。
【００４３】
また、図示していないが、各カラオケ店舗の下には、これまで説明したコマンダ３００が設置されるものである。また、図においてホストサーバ１００には、アカウントユーザに提供されるアカウントサービスのみに関連する構成が示されており、その他のカラオケシステムとして機能に関連する構成については図示省略されている。
【００４４】
図５において、１１０はメールサービス部、１１１は受信ボックス、１１２は送信ボックス、１１３はメール設定部、１２０は履歴情報設定部、１３０は登録曲設定部、１４０は登録歌手設定部、１５０は公開・登録設定部、１６０は検索項目設定部、１６１は検索部、１６２は検索結果回答部、をそれぞれ示している。
【００４５】
ホストサーバ１００に登録したアカウントユーザは、例えば、ＩＤ＝００００００００００１乃至ＩＤ＝ＮＮＮＮＮＮＮＮＮＮＮのいずれかのユーザアカウントＩＤが付与され、そのようなＩＤの下で電子メールの送受信サービス、アカウントユーザがシステムで演奏を行った楽曲に係る履歴情報の保存サービスや、アカウントユーザが十八番とする登録曲の保存のサービスなどを受けるようになっており、それぞれのサービスは、図中のメールサービス部１１０、履歴情報設定部１２０、登録曲設定部１３０などが担うようになっている。まず、本実施形態におけるメールサービス部１１０が担う機能について説明する。
【００４６】
メールサービス部１１０は、カラオケシステムにおけるアカウントユーザ間のメールの送受信を担うものであり、メールサービス部１１０には、受信した電子メールを保存する受信ボックス１１１、送信した電子メールを保存する送信ボックス１１２、またアカウントユーザ個人毎の設定が保存されるメール設定部１１３が設けられている。このメール設定部１１３には、電子メールを受信することを可能とするリモコン端末を制限する設定などを保存することができる。
【００４７】
リモコン端末情報データベース１４０は、それぞれのリモコン端末に固有に付与されているＩＤと、その所属先、所在地などを対応付けて記憶させるデータベースである。本実施形態においては、カラオケ店舗とそのカラオケ店舗に属するリモコン端末との対応を記憶する例について説明するが、必ずしもこのような例に限定されるものではない。
【００４８】
上記のようなカラオケシステムでは、カラオケ店舗Ｎ1のリモコン端末Ｍ1-1でアカウントにログインして作成されたＡＡＡＡさんの電子メールのメッセージは、メールサービス部１１０の機能によって、例えばＣＣＣＣさんが保有するアカウントに配信される。そして、後刻、カラオケ店舗Ｎ3のリモコン端末Ｍ3-3でアカウントにログインしたＣＣＣＣさんは、ＡＡＡＡさんからの電子メールのメッセージを受領し、参照することができる。
【００４９】
ここで、リモコン端末２００におけるタッチパネル部２０４を備えた表示部２０５によるユーザインターフェイス画面について説明する。図６及び図７は本発明の実施の形態に係るカラオケシステムで用いられるリモコン端末におけるタッチパネル部・表示部のユーザインターフェイス画面例を示す図である。
【００５０】
図６はリモコン端末２００におけるログイン前のユーザインターフェイス画面例である。ここで、ユーザは生体認証部２０８による指紋認証か、或いはパスワード入力による認証かを行うことによって、自分のアカウントにログインする。図７は、ニックネーム「かとう  たろう」さんが自らのアカウントにログインしたときの様子を示している。なお、アカウントに対する「ログイン」や「ログアウト」の概念は通常広く用いられているものと同様のものを用いることができる。
【００５１】
本実施形態に係るカラオケシステムで用いられるリモコン端末２００のユーザインター
フェイス画面では、右側のカラムを中心として、アカウントに関わるメニュー表示がなされる。本ユーザインターフェイス画面例では、アカウントサービスの下では「マイメニュー」、「あなたへのオススメ」、「マイリスト」、「マイりれき」、「ログアウト」のいずれかを選択することができるようになっている。電子メールサービスに関連するサービスの選択は「マイメニュー」の下に存在するようになっている。
【００５２】
次に、以上のように構成されるカラオケシステムにおけるリモコン端末での具体的操作例について説明する。まず、メール設定画面への移行するためのユーザインターフェイス画面について説明する。図１２は本発明の実施の形態に係るカラオケシステムで用いられるリモコン端末におけるタッチパネル部・表示部のユーザインターフェイス画面例を示す図であり、ログイン後に「マイメニュー」にタッチしたときの状態を示している。
【００５３】
このような画面表示においては、「マイメニュー」にタッチすると、図示するような対話用メッセージがポップアップ表示されるようになっている。この対話用メッセージにおいては、ユーザはメールを実際に行うための「メール」、当該アカウントにおけるメールをはじめとする種々の設定を行うための「登録・設定」、対話用メッセージを終了するための「閉じる」があり、ユーザはいずれかを選択することができるようになっている。
【００５４】
ここで、ユーザが「メール」を選択してタッチすることによって、メール送受信のためのユーザインターフェイス画面に移行する。
【００５５】
次に、本実施形態に係るカラオケシステムにおけるユーザアカウントが有するメールサービス部１１０以外のサービスについて説明する。このようなサービスは、上記のユーザーインターフェイス画面の「マイリスト」や「マイりれき」などのアイコンをユーザがタッチすることによって享受することができる。
【００５６】
履歴情報設定部１２０は、アカウントユーザがシステムで演奏を行った楽曲に係る履歴情報を保存し設定する構成である。このような履歴情報設定部１２０において設定保存されているデータについて説明する。図８は本発明の実施の形態に係るカラオケシステムの履歴情報設定部１２０におけるデータ構造例を示す図である。図に示すように、履歴情報設定部１２０においては、「曲名」、「歌手名」、「日時」、「点数」の項目が設定保存されるようになっている。「曲名」はアカウントユーザがカラオケシステムで演奏を実行した曲名を保存する項目であり、「歌手名」は演奏実行した曲名に対応する歌手の名前を保存する項目であり、「日時」はアカウントユーザが演奏を実行した日時を保存する項目であり、また、「点数」は、アカウントユーザが演奏実行した曲を歌唱した際に付けられた点数を保存する項目である。なお、歌唱者の歌唱力を採点して、点数化する概念については、カラオケシステムでは一般的であり、本発明においてもこのような一般的な「点数」に係る概念を用いることができる。
【００５７】
以上のような履歴情報設定部１２０に設定されている情報をアカウントユーザが参照する際の操作について説明する。アカウントユーザが自らの履歴情報を参照したい場合には、図７に示されるユーザインターフェイス画面例において、「マイりれき」をユーザがタッチすると、次にリモコン端末２００のユーザインターフェイス画面が、図１３に示されるようなものとなる。このようなユーザインターフェイス画面によって、アカウントユーザは自らの履歴を参照することができるようになっている。なお、このような履歴情報設定部１２０に設定されている情報は、このようにユーザに供されるのみではなく、後に説明する検索部１６１の検索対象となる情報となり得るものである。
【００５８】
登録曲設定部１３０は、アカウントユーザが得意とする楽曲でしばしば演奏する曲、所謂十八番の曲を設定記憶するものであり、そのデータ構造は例えば図９に示すようなもの
となる。図９は本発明の実施の形態に係るカラオケシステムの登録曲設定部１３０におけるデータ構造例を示す図である。図９に示すように、データ形式としては最低限「曲名」の情報があればよいが、その曲を歌う歌手の情報なども一緒に登録しておくことも可能である。
【００５９】
このような登録曲設定部１３０に曲情報を設定するときの操作例について説明する。アカウントユーザが自らの十八番曲を登録したい場合には、図７のインターフェイス画面において「マイメニュー」をタッチする。図７のインターフェイス画面において、「マイメニュー」にタッチすると、図１２に図示するような対話用メッセージがポップアップ表示されるようになっている。この対話用メッセージにおいては、ユーザはメールを実際に行うための「メール」、当該アカウントにおけるメールをはじめとする種々の設定を行うための「登録・設定」、対話用メッセージを終了するための「閉じる」があり、ユーザはいずれかを選択することができるようになっている。
【００６０】
ここで、ユーザが「登録」を選択してタッチすることによって、例えば、図１４に示されるユーザインターフェイス画面などに移行し得るようになっている。当該ユーザインターフェイス画面においては、登録曲設定部１３０に設定する曲情報は「マイソング」として表示されているが、この「マイソング」の登録曲が所謂十八番として保存設定されるものである。
【００６１】
なお、このような登録曲設定部１３０に設定されている情報は、ユーザに素早く十八番を演奏させしめるように利用されるのみならず、後に説明する検索部１６１の検索対象となる情報としても用いられ得るものである。
【００６２】
登録歌手設定部１４０は、アカウントユーザが好む歌手名を設定記憶するものであり、そのデータ構造は例えば図１０に示すようなものとなる。図１０は本発明の実施の形態に係るカラオケシステムの登録歌手設定部１４０におけるデータ構造例を示す図である。図１０に示すように、データ形式としては最低限「歌手名」の情報があればよいが、その他の情報なども一緒に登録しておくことも可能である。
【００６３】
このような登録歌手設定部１４０に曲情報を設定するときの操作例について説明する。アカウントユーザが自らの十八番曲を登録したい場合には、図７のインターフェイス画面において「マイメニュー」をタッチする。図７のインターフェイス画面において、「マイメニュー」にタッチすると、図１２に図示するような対話用メッセージがポップアップ表示されるようになっている。この対話用メッセージにおいては、ユーザはメールを実際に行うための「メール」、当該アカウントにおけるメールをはじめとする種々の設定を行うための「登録・設定」、対話用メッセージを終了するための「閉じる」があり、ユーザはいずれかを選択することができるようになっている。
【００６４】
ここで、ユーザが「登録」を選択してタッチすることによって、例えば、図１５に示されるユーザインターフェイス画面などに移行し得るようになっている。当該ユーザインターフェイス画面においては、登録歌手設定部１４０に設定する歌手名情報は「マイアーティスト」として表記されている。
【００６５】
なお、このような登録歌手設定部１４０に設定されている情報は、ユーザに登録歌手に係る曲の演奏を素早く実行せしめるように利用されるのみならず、後に説明する検索部１６１の検索対象となる情報としても用いられ得るものである。
【００６６】
公開・登録設定部１５０は、自アカウントの履歴情報設定部１２０、登録曲設定部１３０、登録歌手設定部１４０などにおいて保存設定される、所謂個人の情報を、公開したり
、或いは、検索部１６１による検索対象として供したり、するか否かを設定するものである。このような設定は、各アカウントユーザが行い得るようになっている。
【００６７】
図１１は本発明の実施の形態に係るカラオケシステムの公開・登録設定部１５０における設定データ構造例を示す図である。公開・登録設定部１５０は、例えば履歴情報・登録曲情報を公開する否かを設定する履歴情報・登録曲情報公開設定部１５１、履歴情報における点数情報を公開する否かを設定する採点情報公開設定部１５２、自アカウントを検索部１６１による検索対象とするか否かを設定する検索対象登録設定部１５３の３つからなるように構成することができる。上記のような３つの設定部においては、いずれも「する（１）」、「しない（０）」のいずれかを設定することができるようになっている。
【００６８】
以上のような構成によれば、公開・登録設定部１５０の検索対象登録設定部によって、各ユーザは、検索部１６１による検索対象とするか否かを設定することができるものである。これによれば、各ユーザは、自アカウントを検索部１６１の検索対象から外す設定が可能であるために、不特定者からの電子メールを受信したくないアカウントユーザであれば、そのような電子メールを受信しないようにすることが可能となる。
【００６９】
なお、このような公開・登録設定部１５０の設定項目をより詳細に設けるようにすることもできる。
【００７０】
このような公開・登録設定部１５０に曲情報を設定するときの操作例について説明する。アカウントユーザが自らの十八番曲を登録したい場合には、図７のインターフェイス画面において「マイメニュー」をタッチする。図７のインターフェイス画面において、「マイメニュー」にタッチすると、図１２に図示するような対話用メッセージがポップアップ表示されるようになっている。この対話用メッセージにおいては、ユーザはメールを実際に行うための「メール」、当該アカウントにおけるメールをはじめとする種々の設定を行うための「登録・設定」、対話用メッセージを終了するための「閉じる」があり、ユーザはいずれかを選択することができるようになっている。
【００７１】
ここで、ユーザが「登録」を選択してタッチすることによって、例えば、図１６に示されるユーザインターフェイス画面などに移行し得るようになっている。当該ユーザインターフェイス画面において、「十八番・りれきを公開」「する」、「しない」の行は履歴情報・登録曲情報公開設定部１５１の設定に利用されるインターフェイスであり、「採点結果を公開」「する」、「しない」の行は採点情報公開設定部１５２の設定に利用されるインターフェイスであり、「フレンド検索に登録」「する」、「しない」の行は検索対象登録設定部１５３の設定に利用されるインターフェイスである。このようなインターフェイス画面によって、アカウントユーザは各自の好みの設定を行うことができるようになっている。
【００７２】
本実施形態に係るカラオケシステムの検索部１６１は、履歴情報設定部１２０、登録曲設定部１３０、登録歌手設定部１４０などの情報設定部に設定された情報に基づいて、電子メールの宛先を検索するものである。なお、本実施形態においては情報設定部としては、前記のものを例に挙げたが、より基本的な項目―例えば、アカウントユーザの性別、世代、登録地など―を設定する情報設定部に基づいて検索を行う検索部を設けるようにすることも可能である。
【００７３】
本発明のカラオケシステムは、各アカウント毎の履歴情報設定部１２０、登録曲設定部１３０、登録歌手設定部１４０などの情報設定部を検索対象として、同好者などの電子メールの宛先を検索する検索部１６１が設けられる構成であるので、カラオケを行う者同士がメール交換をし易いような環境を整備することが可能となり、各アカウントユーザに電
子メールサービスを積極的に利用してもらうことができる。
【００７４】
また、検索項目設定部１６０は、検索部１６１で実行するための検索キーを設定するものであり、各ユーザアカウントからアクセス可能に構成されている。また検索結果回答部１６２は、検索部１６１で実行された検索の検索結果を、検索実行依頼したユーザアカウントに回答する構成である。
【００７５】
次に、本発明に係るカラオケシステムにおける電子メールの利用形態について説明する。図７に示す「マイメニュー」にタッチすると、図１２に示すような対話用メッセージがポップアップ表示されるようになっている。この対話用メッセージにおいては、ユーザが「メール」を選択してタッチすることによって、次に例えば図１８に示されるユーザインターフェイス画面が表示される。
【００７６】
図１８に示す画面表示においては、ユーザＩＤの入力が要求される。ユーザＩＤを入力するためには、本実施形態に係るリモコン端末２００においては、例えば、図示するようにタッチパネル部２０４からの手書き入力によって行うものであるが、このような手書き入力は認識率の問題などもあり非常に煩雑である。
【００７７】
既にアドレス帳データベース（不図示）に知人・友人などのユーザアカウント情報が登録されており、登録されている相手にメールを送信したい場合には、図１８の画面表示における「アドレス帳から入力」のボタンをタッチすることによって、既に宛先データベース１１３に登録されているユーザ情報を表示させる。
【００７８】
また、本実施形態においては、図１８の画面表示における「フレンド検索」のボタンをタッチすることによって、検索部１６１による検索を行うことができるようになっている。この「フレンド検索」から導かれるインターフェイスによって、所定条件を入力して、検索部１６１に実行を依頼することで、所定条件を満たすアカウントユーザの電子メールの宛先リストの回答を得ることができる。アカウントユーザは、回答された宛先のうちから適宜選択して、メール送信を行うことができる。このように同好者などの電子メールの宛先を検索する検索部１６１の構成により、カラオケを行う者同士がメール交換をし易いような環境を整備することが可能となり、各アカウントユーザに電子メールサービスを積極的に利用してもらうことができる。
【００７９】
次に、以上のような検索部１６１が提供する「フレンド検索」機能について説明する。図１７は本発明の実施の形態に係るカラオケシステムにおける検索機能（フレンド検索）のラダーチャートを示す図である。なお、図１７において、「リモコン端末」については、特定のアカウントにログインがなされたものが想定されており、「ユーザアカウント」は、当該特定のアカウント以外であり、かつ、公開・登録設定部１５０の検索対象登録設定部１５３で自アカウントを検索対象として登録しているアカウントが想定されている。
【００８０】
ステップＳ１００において、リモコン端末（特定アカウント）から、検索項目設定部１６０での検索項目設定が行われる。図１９はこの時に用いられるユーザインターフェイス画面の一例を示している。
【００８１】
図１９に示す実施形態では、例えば、特定アカウントユーザは、好きな歌手が共通しているアカウントユーザの宛先を検索することを可能とするものである。このような検索機能によれば、好みの歌手が共通である。図１９に示すユーザインターフェイス画面において、特定アカウントユーザは、好きな歌手を「マイアーティスト１」、「マイアーティスト２」、「マイアーティスト３」のそれぞれの欄に入力することができるようになっている。複数の欄に好きな歌手が入力されている場合は、それぞれの欄に記入されたもののア
ンドがとられて、検索されるようになっている。このようなアンド検索によれば、好みの歌手がより多く共通しているアカウントユーザの検索を行うことが可能となる。なお、本実施形態では、好きな歌手を３人（組）入力することができるようにしたものを示したが、これより多くの入力を可能とすることももちろん可能である。
【００８２】
ステップＳ１０１で、検索部１６１に対してリモコン端末から検索実行要求がなされると、続いてステップＳ１０２において、検索部１６１からユーザアカウントに対する検索が実行される。このような検索実行時においては、先の検索項目設定部１６０に設定された検索キーが利用され検索がなされる。また検索対象となるのは、検索対象登録設定部１５３の設定に、フレンド検索の検索対象となる旨登録をしてある（当該特定アカウント以外の）アカウントの登録歌手設定部１４０である。
【００８３】
ステップＳ１０３では、上記のような検索によって抽出されたアカウント情報が検索結果回答部１６２に対して引き渡され、ステップＳ１０４では検索結果回答部１６２がこのアカウント情報を回答情報として特定アカウントログイン中のリモコン端末に送信する。
【００８４】
図２０はステップＳ１０３によって回答がなされた場合のリモコン端末における回答画面の一例を示すものである。図２０に示すように、設定した検索キーの条件を満たすユーザのアカウント情報が１ページに３つずつ示されている。画面下方にある「ページ」の押下によってページ移動を行うことで、他のユーザのアカウント情報を参照することが可能である。また、各ユーザのアカウント情報の欄には、「宛先に加える」のボタンが配置してあり、このボタンをタッチすることによって、電子メールの送信先に設定することが可能となる。なお、本実施形態においては、このようなユーザインターフェイス画面によって、検索・抽出されたアカウント情報から送信したいユーザを、「宛先に加える」のボタンで選択するような構成となっているが、全てのユーザを選択する、所謂同報通信を行い得るようにするボタンを設けて、検索・抽出されたアカウント情報の全ユーザにメールを送信しやすくすることも可能である。また、検索・抽出されたアカウント数が多すぎる場合、これを適当なアルゴリズムでアトランダムに絞り込んで、特定アカウントユーザに示すようにすることもできる。
【００８５】
図２０のようなインターフェイス画面において、例えば「Ｈｉｄｅ」のアカウントを選択して作成したメールが図２１に示すものである。このとき、図２０に示すようなユーザインターフェイス画面において、例えば「Ｈｉｄｅ」の欄の「宛先に加える」をタッチすることによって、電子メールの送信先を確定する。図２１に示す送信メールフォームにおけるメッセージ欄への入力は、例えば図２２に示すような手書き入力などのユーザインターフェイスを用いることができる。
【００８６】
以上のような構成の本発明のカラオケシステムによれば、各アカウント毎の情報が設定された情報設定部を検索対象として、同好者などの電子メールの宛先を検索する検索部１６１が設けられる構成であるので、カラオケを行う者同士がメール交換をし易いような環境を整備することが可能となり、各アカウントユーザに電子メールサービスを積極的に利用してもらうことができる。
【００８７】
また、本発明のカラオケシステムによれば、自アカウントを前記検索部１６１による検索の対象とするか否かを登録する公開・登録設定部１５０（特には検索対象登録設定部１５３）による設定を行うことにより、前記検索部１６１の検索対象から外れることも可能であるために、不特定者からの電子メールを受信したくないアカウントユーザであれば、そのような電子メールを受信しないようにすることが可能となる。
【００８８】
次に、本発明の他の実施形態について説明する。図２３は本発明の他の実施の形態に係
るカラオケシステムで用いられるリモコン端末におけるタッチパネル部・表示部のユーザインターフェイス画面例を示す図である。このユーザインターフェイス画面例は、先の実施形態における図１９の代わりに用い得るものであり、検索項目設定部１６０の設定に用いられるものである。
【００８９】
先の実施形態による検索機能は、好みの歌手が共通であるアカウントユーザの宛先を検索するために、登録歌手設定部１４０に保存設定される情報を対象として検索するものであったが、本実施形態による検索機能は、検索部１６１は履歴情報設定部１２０に保存設定される情報を対象として検索するものである。
【００９０】
「マイアーティスト」の登録は、すなわち登録歌手設定部１４０の登録は、ユーザが事由に直接行うことができるようになっている。これに対して、履歴情報設定部１２０に情報を登録するためには、ユーザはシステムで演奏を実行しなければならない。すなわち、歴情報設定部１２０を対象とした検索を行うこととで、ユーザの実際のカラオケ行動に即して検索を行うことが可能である、というメリットがある。
【００９１】
図２３に示すユーザインターフェイス画面において、特定アカウントユーザは、例えば好きな曲、歌手を「りれき１」、「りれき２」、「りれき３」のそれぞれの欄に入力することができるようになっている。複数の欄に好きな「りれき」が入力されている場合は、それぞれの欄に記入されたもののアンドがとられて、検索されるようになっている。なお、本実施形態では、３つの「りれき」欄に入力することができるようにしたものを示したが、これより多くの入力を可能とすることももちろん可能である。
【００９２】
この実施形態で、検索部１６１に対してリモコン端末から検索実行要求がなされると、検索項目設定部１６０に設定された検索キーによって検索が実行される。また検索対象となるのは、検索対象登録設定部１５３の設定に、フレンド検索の検索対象となる旨登録をしてある（当該特定アカウント以外の）アカウントの履歴情報設定部１２０である。
【００９３】
検索部１６１の検索によって抽出されたアカウント情報は検索結果回答部１６２に対して引き渡され、検索結果回答部１６２が検索要求を行ったユーザのログイン中のリモコン端末に送信する。
【００９４】
次に、本発明の他の実施形態について説明する。図２３は本発明の他の実施の形態に係るカラオケシステムで用いられるリモコン端末におけるタッチパネル部・表示部のユーザインターフェイス画面例を示す図である。このユーザインターフェイス画面例は、先の実施形態における図１９の代わりに用い得るものであり、検索項目設定部１６０の設定に用いられるものである。
【００９５】
第１の実施形態による検索機能は、好みの歌手が共通であるアカウントユーザの宛先を検索するために、登録歌手設定部１４０に保存設定される情報を対象として検索するものであったが、本実施形態による検索機能は、検索部１６１は登録歌手設定部１４０、登録曲設定部１３０、履歴情報設定部１２０に保存設定される情報を対象として検索するものである。
【００９６】
「マイアーティスト」の登録は、すなわち登録歌手設定部１４０の登録は、ユーザが事由に直接行うことができるようになっている。これに対して、履歴情報設定部１２０に情報を登録するためには、ユーザはシステムで演奏を実行しなければならない。すなわち、検索キーとして履歴情報設定部１２０を対象とした検索を行うこととで、ユーザの実際のカラオケ行動に即して検索を行うことが可能である、というメリットがある。
【００９７】
図２４に示すユーザインターフェイス画面において、特定アカウントユーザは、好きな歌手を「マイアーティスト」の欄に、好きな曲を「マイソング」の欄に、好きな曲、歌手を「りれき」の欄にそれぞれ入力することができるようになっている。複数の欄に入力されている場合は、それぞれの欄に記入されたもののアンドがとられて、検索されるようになっている。なお、本実施形態では、３つの欄に入力することができるようにしたものを示したが、これより多くの入力を可能とすることももちろん可能である。
【００９８】
この実施形態で、検索部１６１に対してリモコン端末から検索実行要求がなされると、検索項目設定部１６０に設定された検索キーによって検索が実行される。また検索対象となるのは、検索対象登録設定部１５３の設定に、フレンド検索の検索対象となる旨登録をしてある（当該特定アカウント以外の）アカウントの登録歌手設定部１４０、登録曲設定部１３０、履歴情報設定部１２０である。
【００９９】
検索部１６１の検索によって抽出されたアカウント情報は検索結果回答部１６２に対して引き渡され、検索結果回答部１６２が検索要求を行ったユーザのログイン中のリモコン端末に送信する。
【０１００】
次に、本発明の他の実施形態について説明する。図２５は本発明の他の実施の形態に係るカラオケシステムの全体構成を示す図である。本実施形態においても、先の実施形態と同様にユーザアカウント制による電子メールサービスを行うものであるが、先の実施形態とは全体のシステム構成が異なっている。
【０１０１】
先の実施形態においては、無線ＬＡＮアクセスポイント７０が採用され、リモコン端末２０は、このアクセスポイントを利用してＬＡＮ経由で、コマンダ３００に対する指令信号などを送出していが、本実施形態では、この無線ＬＡＮアクセスポイント７０が省略され、リモコン端末２００とコマンダ３００との信号のやりとりはＢｌｕｅｔｏｏｔｈ規格などの無線通信を用いるようにしている。
【０１０２】
このような無線通信を用いると比較的大容量のデータ通信を無線によって行うことができるので、無線ＬＡＮアクセスポイント７０などの設置が不要となる。また、先の実施形態においては、リモコン端末２００とコマンダ３００と間の直接的な通信手段としては赤外線通信による通信部が用いられていたが、本実施形態では、先のようなＢｌｕｅｔｏｏｔｈ規格などの無線通信が採用されるため、リモコン端末２００及びコマンダ３００に赤外線通信による通信部を設ける必要がなくなり、ハードウエア的に簡略化することができる、というメリットがある。
【０１０３】
なお、本明細書においては、種々の実施の形態について説明したが、それぞれの実施の形態の構成を適宜組み合わせて構成された実施形態も本発明の範疇となるものである。
【図面の簡単な説明】
【０１０４】
【図１】本発明の実施の形態に係るカラオケシステムの全体構成を示す図である。
【図２】本発明の実施の形態に係るカラオケシステムの運用形態イメージを示す図である。
【図３】本発明の実施の形態に係るカラオケシステムで用いられるコマンダ及びその周辺のブロック構成を示す図である。
【図４】本発明の実施の形態に係るカラオケシステムで用いられるリモコン端末のブロック構成を示す図である。
【図５】本発明の実施の形態に係るカラオケシステムで提供される電子メールサービスの概念を示す図である。
【図６】本発明の実施の形態に係るカラオケシステムで用いられるリモコン端末におけるタッチパネル部・表示部のユーザインターフェイス画面例を示す図である。
【図７】本発明の実施の形態に係るカラオケシステムで用いられるリモコン端末におけるタッチパネル部・表示部のユーザインターフェイス画面例を示す図である。
【図８】本発明の実施の形態に係るカラオケシステムの履歴情報設定部１２０におけるデータ構造例を示す図である。
【図９】本発明の実施の形態に係るカラオケシステムの登録曲設定部１３０におけるデータ構造例を示す図である。
【図１０】図１０は本発明の実施の形態に係るカラオケシステムの登録歌手設定部１４０におけるデータ構造例を示す図である。
【図１１】本発明の実施の形態に係るカラオケシステムの公開・登録設定部１５０における設定データ構造例を示す図である。
【図１２】本発明の実施の形態に係るカラオケシステムで用いられるリモコン端末におけるタッチパネル部・表示部のユーザインターフェイス画面例を示す図である。
【図１３】本発明の実施の形態に係るカラオケシステムで用いられるリモコン端末におけるタッチパネル部・表示部のユーザインターフェイス画面例を示す図である。
【図１４】本発明の実施の形態に係るカラオケシステムで用いられるリモコン端末におけるタッチパネル部・表示部のユーザインターフェイス画面例を示す図である。
【図１５】本発明の実施の形態に係るカラオケシステムで用いられるリモコン端末におけるタッチパネル部・表示部のユーザインターフェイス画面例を示す図である。
【図１６】本発明の実施の形態に係るカラオケシステムで用いられるリモコン端末におけるタッチパネル部・表示部のユーザインターフェイス画面例を示す図である。
【図１７】本発明の実施の形態に係るカラオケシステムにおける検索機能（フレンド検索）のラダーチャートを示す図である。
【図１８】本発明の実施の形態に係るカラオケシステムで用いられるリモコン端末におけるタッチパネル部・表示部のユーザインターフェイス画面例を示す図である。
【図１９】本発明の実施の形態に係るカラオケシステムで用いられるリモコン端末におけるタッチパネル部・表示部のユーザインターフェイス画面例を示す図である。
【図２０】本発明の実施の形態に係るカラオケシステムで用いられるリモコン端末におけるタッチパネル部・表示部のユーザインターフェイス画面例を示す図である。
【図２１】本発明の実施の形態に係るカラオケシステムで用いられるリモコン端末におけるタッチパネル部・表示部のユーザインターフェイス画面例を示す図である。
【図２２】本発明の他の実施の形態に係るカラオケシステムで用いられるリモコン端末におけるタッチパネル部・表示部のユーザインターフェイス画面例を示す図である。
【図２３】本発明の他の実施の形態に係るカラオケシステムで用いられるリモコン端末におけるタッチパネル部・表示部のユーザインターフェイス画面例を示す図である。
【図２４】本発明の他の実施の形態に係るカラオケシステムで用いられるリモコン端末におけるタッチパネル部・表示部のユーザインターフェイス画面例を示す図である。
【図２５】本発明の他の実施の形態に係るカラオケシステムの全体構成を示す図である。
【符号の説明】
【０１０５】
５０は通信網、６０・・・ルータ、７０・・・無線ＬＡＮアクセスポイント、１００・・・ホストサーバ、１１０はメールサービス部、１１１・・・受信ボックス、１１２・・・送信ボックス、１１３・・・メール設定部、１２０・・・履歴情報設定部、１３０・・・登録曲設定部、１４０・・・登録歌手設定部、１５０・・・公開・登録設定部、１５１・・・履歴情報・登録曲情報公開設定部、１５２・・・採点情報公開設定部、１５３・・・検索対象登録設定部、１６０・・・検索項目設定部、１６１・・・検索部、１６２・・・検索結果回答部、２００、２００'、２００''、２００'''、２００''''・・・リモコン端末、２０１・・・バス、２０２・・・中央演算部、２０３・・・記憶部、２０４・・・タッチパネル部、２０５・・・表示部、２０６・・・第１通信部、２０７・・・第２通信部
、２０８・・・生体認証部、３００、３００'、３００''、３００'''・・・コマンダ、３０１・・・バス、３０２・・・中央演算部、３０３・・・記憶部、３０４・・・第４通信部、３０５・・・第３通信部、３０６・・・入力部、３０７・・・表示制御部、３１０・・・音源部、３３０・・・ミキサ部、４００・・・アンプ、４０１・・・スピーカー、４０２・・・マイクロフォン、４５０・・・ディスプレイ
【図１】
2010060626.tif 000003
【図２】
2010060626.tif 000004
【図３】
2010060626.tif 000005
【図４】
2010060626.tif 000006
【図５】
2010060626.tif 000007
【図６】
2010060626.tif 000008
【図７】
2010060626.tif 000009
【図８】
2010060626.tif 000010
【図９】
2010060626.tif 000011
【図１０】
2010060626.tif 000012
【図１１】
2010060626.tif 000013
【図１２】
2010060626.tif 000014
【図１３】
2010060626.tif 000015
【図１４】
2010060626.tif 000016
【図１５】
2010060626.tif 000017
【図１６】
2010060626.tif 000018
【図１７】
2010060626.tif 000019
【図１８】
2010060626.tif 000020
【図１９】
2010060626.tif 000021
【図２０】
2010060626.tif 000022
【図２１】
2010060626.tif 000023
【図２２】
2010060626.tif 000024
【図２３】
2010060626.tif 000025
【図２４】
2010060626.tif 000026
【図２５】
2010060626.tif 000027